【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】  帯鋸でワークを切断するときの送り速度を決定する方法において、ワークの形状及び寸法に応じて帯鋸の刃の歯ピッチＴＰを決定し、ワーク材料特性とワークの形状及び寸法並びに鋸刃の幅に応じての一歯当たりの送りを決定し、ワーク材料の幅及び材料硬度から帯鋸刃速度ＢＳを決定し、その後、前記ワークの高さＨと、前記一歯当たりの送りと、前記ワーク材料の硬度と、前記歯ピッチと、前記帯鋸刃速度ＢＳとから切断時間Ｔを決定して、等式
ＭＨ＝Ｈ／Ｔ
によって前記帯鋸刃の送り速度ＭＨを決定することを特徴とした方法。
【請求項２】  推奨歯ピッチＴＰが２５．４ｍｍ当たりの歯数、Ｋ1が非推奨歯ピッチ係数に対する補償係数、Ｋ2が前記帯鋸の幅の様々な値に対する補償のために経験的に決定された係数であるときに、等式
Ｔ＝（Ｈ・Ｋ1・Ｋ2）／（３９．７・Ｓ・ＨＦ・ＴＰ・ＢＳ）
によって切断時間Ｔを決定することを特徴とした、請求項１に記載の方法。
【請求項３】  様々な幅Ｗのワークに適した歯ピッチＴＰについての予め定められた表から前記歯ピッチを決定することを特徴とする、請求項１又は請求項２に記載の方法。
【請求項４】  前記ワークが管形状であり、ＷＴが前記管の壁厚、ｋが前記管の内壁の位置における弦の長さであるとしたときに、等式
Ｗmed＝（２ＷＴ＋ｋ）／２
によって、前記帯鋸の刃と前記ワークとの間の接触する長さの平均値Ｗmedを決定し、その後、様々な平均値Ｗmedに適した歯ピッチについての予め定められた表から歯ピッチＴＰを決定することを特徴とする、請求項１又は請求項２に記載の方法。
【請求項５】  中実のワークと管形状のワークとに同じ表が使用され、前記帯鋸の歯と前記ワークとの接触する長さの前記平均値Ｗmedが管形状のワークのワーク幅Ｗとして使用される、請求項３又は請求項４に記載の方法。
【請求項６】  Ｌ及びＫは定数、Ｗはワークの幅、ＨＦは、Ｙがワーク材料の実際の硬度、Ｙ3が公称硬度、ｘが各タイプの材料に対して経験的に定められる定数、ＳＤがワークの表面欠陥を補償する係数であるとして、等式
ＨＦ＝（（Ｙ3／Ｙ）＋ｘ）／（１＋ｘ）
によって決定される係数であるとき、等式
ＢＳ＝ＥＸＰL-KW・ＨＦ・ＳＤ
によって帯鋸の刃の速度ＢＳを決定することを特徴とする、請求項１から請求項５の何れか一項に記載の方法。
【請求項７】  帯鋸でワークを切断するときの送り速度を決定するためのシステムにおいて、ワークの寸法及び形状のデータから帯鋸の刃の歯ピッチＴＰを決定するための第１のユニット（６）と、ワークの材料の特性のデータから一歯当たりの公称送りＳを決定し且つ帯鋸の刃の幅のデータから補償係数Ｋ2を決定するための第２のユニット（１２）と、ワークの幅Ｗのデータから帯鋸の刃の速度ＢＳを決定し且つワーク材料の硬度に応じて係数ＨＦを決定するための第３のユニット（２２）と、前記第１のユニット、前記第２のユニット及び前記第３のユニットから得たデータから実際のワークを切断するための切断時間Ｔを演算するための第１の演算ユニット（３０）と、ワークの高さＨ及び前記切断時間Ｔのデータから送り速度ＭＨを演算するための第２の演算ユニット（３２）とが設けられていることを特徴とするシステム。
【請求項８】  前記第１のユニットがメモリを備え、該メモリに、ワークの様々な幅Ｗに適した歯ピッチＴＰについての表が記憶されていることを特徴とする請求項７に記載のシステム。
【請求項９】  ＷＴが管の壁厚、ｋが管の内壁の位置における弦の長さを指すとき、前記第１のユニットが、管形状のワークの場合に、等式
Ｗmed＝（２ＷＴ＋ｋ）／２
に従って、前記表から前記ワークに適した歯ピッチＴＰを決定するために使用される帯鋸の刃と材料との間で接触する長さの平均値Ｗmedを演算するために設けられた第１の演算ユニットを備えることを特徴とする請求項８に記載のシステム。
【請求項１０】  Ｙがワーク材料の実際の硬度、Ｙ3が材料の公称硬度、ｘが各材料に対して経験的に定められた固有の定数であるとしたとき、前記第３のユニットが、等式
ＨＦ＝（（Ｙ3／Ｙ）＋ｘ）／（１＋ｘ）
によって係数ＨＦを決定するための第２の演算ユニットを備えることを特徴とする、請求項７から請求項９の何れか一項に記載のシステム。
【請求項１１】  コンピュータ上で実行されるときに、供給された入力データから、請求項１から請求項６の何れか一項に記載の方法に従ってワークを切断するときの帯鋸の送り速度の値を決定するコンピュータプログラム。
【手続補正２】
【補正対象書類名】明細書
【補正対象項目名】００１０
【補正方法】変更
【補正の内容】
【００１０】
管を切断するときの最適な歯ピッチを決定するための多少複雑な経験的線図が多数存在する。本発明の有利な実施形態によれば、帯鋸刃とワークとの間で接触する長さの平均値Ｗmedは以下の等式によって決定される。
Ｗmed＝（２ＷＴ＋ｋ）／２
ここで、ＷＴは管の壁厚を指し、ｋは内壁の位置における弦の長さを指す。その後、様々な平均値Ｗmedに適した歯ピッチについての予め定められた表から歯ピッチが決定される。一緒に保持された管の束を切断するときにも、上記等式を使用することができ、その結果は、鋸によって同時に切断された管の数を掛けたものとなる。
【手続補正３】
【補正対象書類名】明細書
【補正対象項目名】００１１
【補正方法】変更
【補正の内容】
【００１１】
今までは、様々な材料に適した一歯当たりの切断深さは、幅４１ｍｍの鋸刃を用いて中実ワークに鋸を入れることによる経験から決定されてきた。一歯当たりの切断深さは、典型的には、０．００３〜０．００７ｍｍの範囲である。他の帯幅を使用するときには、変化した帯硬さを補償するために、一歯当たりの切断深さを変更しなくてはならない。切断データは、発生する切断力を合理的な制限範囲内に維持するように調整されなくてはならない。例えば、帯鋸の各歯が５０Ｎの垂直方向力を受けさせられ、１０個の歯がワークと同時に係合するとすると、帯は合計で５００Ｎの力を受けることになる。各刃の寸法の場合に、刃は、歪んで曲がった切断を始めるまで所定の力に耐えることができる。これは、硬い材料の場合に、送りと帯鋸の速度の両方を係数ＨＦによって減少させなくてはならないことを意味する。
【手続補正４】
【補正対象書類名】明細書
【補正対象項目名】００１２
【補正方法】変更
【補正の内容】
【００１２】
また、経験から、どの帯鋸速度が様々な材料を切断するのに適しているかの情報が与えられている。本発明の１つの有利な実施形態によれば、帯鋸の速度ＢＳは以下の等式によって決定される。
ＢＳ＝ＥＸＰL-KW・ＨＦ・ＳＤ
ここで、Ｌ及びＫは定数、Ｗはワークの幅、ＨＦは以下の等式により決定される係数である。
ＨＦ＝（（Ｙ3／Ｙ）＋ｘ）／（１＋ｘ）
ここで、Ｙはワーク材料の実際の硬度値、Ｙ3は公称硬度、ｘは各材料に対して経験的に決定される定数、ＳＤはワークの表面欠陥を補償するための係数である。
【手続補正５】
【補正対象書類名】明細書
【補正対象項目名】００１９
【補正方法】変更
【補正の内容】
【００１９】
また、一緒に束ねられている複数の管を切断するときの歯ピッチを決定するためにも、上記の等式を使用することができ、この場合、同時に切断された管の数が乗じられなくてはならない。
【手続補正６】
【補正対象書類名】明細書
【補正対象項目名】００２２
【補正方法】変更
【補正の内容】
【００２２】
図１のステップ３では、鋸の帯速度を決定する。帯鋸の速度は、本発明に従って、等式（２）によって演算される。
ＢＳ＝ＥＸＰL-KW・ＨＦ・ＳＤ                    （２）
ここで、Ｌ及びＫは予め経験的に定められた定数、Ｗはワークの幅を指している。ＨＦは等式（３）に従ってワーク材料の硬度によって影響を受ける係数を指す。
ＨＦ＝（（Ｙ3／Ｙ）＋ｘ）／（１＋ｘ）            （３）
ここで、Ｙは材料の実際の硬度、Ｙ3は公称硬度を指す。ｘは各材料に対して経験的に決定された定数を指す。低炭素鋼のような柔らかい材料の場合には、ｘ＝１である。
【手続補正７】
【補正対象書類名】明細書
【補正対象項目名】００２６
【補正方法】変更
【補正の内容】
【００２６】
ワークを完全に切断するのに要される時間である切断時間Ｔは等式（４）によって与えられる。
Ｔ＝Ｈ・Ｋ1・Ｋ2／（３９．７・Ｓ・ＨＦ・ＴＰ・ＢＳ）      （４）
ここで、Ｈはワークの高さ、Ｋ1は歯ピッチに応じた係数を指す。係数Ｋ1は歯ピッチが推奨通りのときは１に等しくなり、歯ピッチが推奨された値より１段階短く選択されたとしたなら１．２５に等しくなる。本発明によれば、推奨された歯ピッチより１段階長い又は１段階短い歯ピッチを選択することが許容される。推奨された歯ピッチが３ＴＰＩであるなら、４又は２ＴＰＩを許容することができる（上記の表を参照）。１段階短い歯ピッチ、すなわち４ＴＰＩが選択されたなら、より多くの歯が材料と接触してより大きな力を生じさせることから、切断時間Ｔは２５％長くなる。より長い歯ピッチが選択されたなら、補償は必要とされない。推奨された歯ピッチから１段階より大きく外れることは許されない。
【手続補正８】
【補正対象書類名】図面
【補正対象項目名】図１
【補正方法】変更
【補正の内容】
【図１】
2004519338.tif 000001